(57)【要約】      （修正有）【課題】押さえ板が所定位置に簡単確実に係止されるようにする。【解決手段】光ピックアップ８のスライドベース９が副軸１０ｂに沿って往復移動可能に形成され、スライドベース９上のフレキシブルプリント基板ＦＰＣ用の基板押さえ部２５Ａと、副軸１０ｂ用の副軸押さえ部２５Ｂと、その両押さえ部２５ａ，２５ｂどうしを一体連結する中央連結部２５Ｃとからなる押さえ板２５が設けられ、副軸押さえ部２５Ｂが、基板２５ａと、該基板２５ａの一端からＵ字状に折り曲げられて副軸１０ｂに弾性的に押しつけられる弾性変位可能な弾性板２５ｂと、基板２５ａの他端に一体形成されて弾性板２５ｂから離間する方向に延びる延長板２５ｄとを有し、該延長板２５ｄのビス挿通孔２６を通ってスライドベース９のねじ孔２８にビス３０をねじ込んで、延長板２５ｄがスライドベース９に固定されている。【選択図】図１
2012053931.tif 000002
【特許請求の範囲】
【請求項１】
ローダーシャーシ内のトラバースシャーシにターンテーブルと光ピックアップとが配置
され、該光ピックアップのスライドベースの一側縁に形成したガイド孔をトラバースシャ
ーシ上の主軸に移動可能に嵌合させると共に、該スライドベースの他側縁のガイド枠に形
成したガイド溝をトラバースシャーシ上の副軸に嵌合させることにより、そのスライドベ
ースがディスクの半径方向に沿って往復移動可能に形成され、スライドベース上のメイン
基板から延びるフレキシブルプリント基板を押さえるための基板押さえ部と、副軸を押さ
えるための副軸押さえ部と、その両押さえ部どうしを一体連結する中央連結部とからなる
押さえ板が設けられ、前記副軸押さえ部が、中央連結部につながる基板と、該基板の一端
からＵ字状に折り曲げられて副軸に弾性的に押しつけられる弾性変位可能な弾性板とを有
しており、前記ターンテーブルによりディスクを高速回転させ、該ディスクに記録されて
いる情報を主副両軸に沿って往復移動する光ピックアップで読み取るようにしたディスク
装置において、前記基板の他端に一体形成されて弾性板から離間する方向に延びる延長板
を有し、該延長板にビス挿通孔が貫設され、該ビス挿通孔に対向してスライドベースにね
じ孔が形成されており、ビスをビス挿通孔からねじ孔にねじ込むことにより、延長板をス
ライドベースに固定するようにしたことを特徴とするディスク装置。
【請求項２】
前記延長板の端縁に位置決め用切欠き部が形成されると共に、該位置決め用切欠き部に
対向してスライドベースに位置決め突起が一体突設され、前記基板にコ字状スリットを形
成することにより切り残した位置決め片の先端が外向きに折り曲げられ、該位置決め片の
先端に対向してスライドベースに位置決め溝が形成されており、位置決め用切欠き部を位
置決め突起に嵌合させると共に、位置決め片の先端を位置決め溝に嵌入させることにより
、押さえ板がスライドベース上の所定位置に配置されるようにしたことを特徴とする請求
項１に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、フレキシブルプリント基板や副軸を押さえるための押さえ板が
所定位置に簡単確実に係止されるようにしたものである。
【背景技術】
【０００２】
従来、ディスク装置（Ｂｌｕ−ｒａｙ  Ｄｉｓｃ式のレコーダまたはプレーヤ）として
図５に示すものがあり、これは、ディスクＤ載置用トレイ１がローダーシャーシ２に前後
進ａ，ｂ可能に配置され、該ローダーシャーシ２内にシャーシ本体３ａとレバーシフト３
ｂとからなるトラバースシャーシ３が配置され、前記シャーシ本体３ａの後部がゴムから
なる後側弾性体４を介してローダーシャーシ２に上下動可能に連結されると共に、該シャ
ーシ本体３ａの前部がゴムからなる前側弾性体５を介してレバーシフト３ｂに連結され、
前記シャーシ本体３ａ上にターンテーブル６付きスピンドルモータ７と光ピックアップ８
とが配置され、該光ピックアップ８がスライドベース９を有し、該スライドベース９の一
側縁に形成したガイド孔９ａをシャーシ本体３ａ上の主軸１０ａに移動可能に嵌合させる
と共に、該スライドベース９の他側縁の略コ字状ガイド枠９ｂに形成した略Ｕ字状ガイド
溝１１をシャーシ本体３ａ上の副軸１０ｂに嵌合させることにより、そのスライドベース
９がディスクＤの半径方向に沿って往復移動可能に形成され、前記スライドベース９のト
レイ対向面９ｃに対物レンズＯＬ付きアクチュエータ１２とプリント基板からなるメイン
基板１３とが配置されている。
【０００３】
前記スライドベース９には、ＤＶＤ・ＣＤ用のレーザダイオードＬＤ付き発光部１４及
びフォトダイオードＰＤ付き読取部１５と、ＢＤ（ブルーレイ）用のレーザダイオードＬ
Ｄ付き発光部１６及びフォトダイオードＰＤ付き読取部１７とが設けられている。
【０００４】
前記ローダーシャーシ２の前部にカムスライダ１９が前後進ａ，ｂ方向とは直交する左
右方向ｃ，ｄに沿ってスライド可能に配置され、該カムスライダ１９に形成したカム溝２
０ａと、レバーシフト３ｂに突設されてカム溝２０ａに嵌入するカムピン２０ｂとからな
るカム機構２０によりカムスライダ１９とレバーシフト３ｂとが連動連結され、前記ロー
ダーシャーシ２の前部にピニオン２２が正逆回転ｅ，ｆ可能に配置され、該ピニオン２２
に噛合可能なカムラック２３が前記カムスライダ１９に設けられている。
【０００５】
上記構成において、図５に一点鎖線で示すトレイオープン状態で、ディスクＤをトレイ
１上に載置し、該トレイ１を後進ｂさせてローダーシャーシ２内に収納し（図５二点鎖線
参照）、カムラック２３をピニオン２２に噛合させ、該ピニオン２２の矢印ｆ方向への回
転によりカムスライダ１９を矢印ｃ方向にスライドさせ、カム機構２０を介してトラバー
スシャーシ３を上動させることより、ターンテーブル６にディスクＤをクランプし、プレ
ーモードにする。
【０００６】
そのプレイモードでは、ターンテーブル６によりディスクＤを高速回転させ、光ピック
アップ８を主副両軸１０ａ，１０ｂに沿って移動させ、レーザダイオードＬＤ付き発光部
１４，１６からレーザ光を対物レンズＯＬを通してディスクＤに投射し、その反射光をフ
ォトダイオードＰＤ付き読取部１５，１７により受光してディスクＤに記録されている情
報を読み取る。
【０００７】
図６〜図８に示すように、前記フォトダイオードＰＤ付き読取部１７は、メイン基板１
３から延びるフレキシブルプリント基板ＦＰＣの先端に設けられており、該フレキシブル
プリント基板ＦＰＣを略Ｌ字状に折り曲げ、読取部１７を三次元調整した状態でスライド
ベース９に紫外線硬化性接着剤ＵＶで固定している。
【０００８】
前記フレキシブルプリント基板ＦＰＣに対向する矩形板状の基板押さえ部２５Ａと、副
軸１０ｂに対向するＵ字状の副軸押さえ部２５Ｂと、その両押さえ部２５Ａ，２５Ｂどう
しを一体連結する細幅板状の中央連結部２５Ｃとからなるステンレス板などの弾性を有す
る金属板からなる押さえ板２５を有し、前記中央連結部２５Ｃに、ビス挿通孔２６と、該
ビス挿通孔２６を間に挟んで対向する一対の位置決め孔２７とが貫設され、そのビス挿通
孔２６に対向してスライドベース９にねじ孔２８が形成されると共に、各位置決め孔２７
に対向して一対の位置決め突起２９がスライドベース９に一体突設され、副軸押さえ部２
５Ｂが、中央連結部２５Ｃにつながる基板２５ａと、該基板２５ａの一端からＵ字状に折
り曲げられて副軸１０ｂに弾性的に押し付けられる弾性変位可能な弾性板２５ｂとを有し
ている。
【０００９】
組立手順を説明すると、各位置決め孔２７を各位置決め突起２９に嵌合させ、ビス３０
をビス挿通孔２６からねじ孔２８にねじ込むことにより、中央連結部２５Ｃをスライドベ
ース９に係止し、これによって、基板押さえ部２５Ａをフレキシブルプリント基板ＦＰＣ
に押し付けて、そのフレキシブルプリント基板ＦＰＣが浮き上がってトレイ１の下面に接
触するのを防ぐと共に、副軸押さえ部２５Ｂの弾性板２５ｂを副軸１０ｂに弾性的に押し
つけて、スライドベース９が主軸１０ａ回りで動揺するのを防いでいる。なお、関連する
技術として特許文献１に記載したものがある。
【先行技術文献】
【特許文献】
【００１０】
【特許文献１】特開２００８−１９２２２８号公報
【発明の概要】
【発明が解決しようとする課題】
【００１１】
上記構成では、図７に示すように、中央連結部２５Ｃが基板押さえ部２５Ａと副軸押さ
え部２５Ｂとで挟まれて狭幅に形成され、しかも、その中央連結部２５Ｃのビス挿通孔２
６に弾性板２５ｂが接近しているので、その弾性板２５ｂが障害物なってビス３０をビス
挿通孔２６に差し込み難く、ビス３０のねじ込み作業が面倒であり、作業能率が低い。
【００１２】
また、両位置決め孔２７（両位置決め突起２９）間の間隔ｈが小さいので、位置決め孔
２７と位置決め突起２９との間に生じた隙間αにより押さえ板２５がビス３０回りで変位
（矢印ｇ方向）されて近隣の電子部品やコードに接近したり接触し、ショート事故や接触
事故などを起こすおそれがある。
【００１３】
本発明は、上記従来の欠点に鑑み、フレキシブルプリント基板や副軸を押さえるための
押さえ板が所定位置に簡単確実に係止されるようにしたディスク装置を提供することを目
的としている。
【課題を解決するための手段】
【００１４】
上記目的を達成するため、請求項１に記載の発明は、ローダーシャーシ内のトラバース
シャーシにターンテーブルと光ピックアップとが配置され、該光ピックアップのスライド
ベースの一側縁に形成したガイド孔をトラバースシャーシ上の主軸に移動可能に嵌合させ
ると共に、該スライドベースの他側縁のガイド枠に形成したガイド溝をトラバースシャー
シ上の副軸に嵌合させることにより、そのスライドベースがディスクの半径方向に沿って
往復移動可能に形成され、スライドベース上のメイン基板から延びるフレキシブルプリン
ト基板を押さえるための基板押さえ部と、副軸を押さえるための副軸押さえ部と、その両
押さえ部どうしを一体連結する中央連結部とからなる押さえ板が設けられ、前記副軸押さ
え部が、中央連結部につながる基板と、該基板の一端からＵ字状に折り曲げられて副軸に
弾性的に押しつけられる弾性変位可能な弾性板とを有しており、前記ターンテーブルによ
りディスクを高速回転させ、該ディスクに記録されている情報を主副両軸に沿って往復移
動する光ピックアップで読み取るようにしたディスク装置において、前記基板の他端に一
体形成されて弾性板から離間する方向に延びる延長板を有し、該延長板にビス挿通孔が貫
設され、該ビス挿通孔に対向してスライドベースにねじ孔が形成されており、ビスをビス
挿通孔からねじ孔にねじ込むことにより、延長板をスライドベースに固定するようにした
ことを特徴としている。
【００１５】
請求項２に記載の発明は、請求項１に記載の発明において、前記延長板の端縁に位置決
め用切欠き部が形成されると共に、該位置決め用切欠き部に対向してスライドベースに位
置決め突起が一体突設され、前記基板にコ字状スリットを形成することにより切り残した
位置決め片の先端が外向きに折り曲げられ、該位置決め片の先端に対向してスライドベー
スに位置決め溝が形成されており、位置決め用切欠き部を位置決め突起に嵌合させると共
に、位置決め片の先端を位置決め溝に嵌入させることにより、押さえ板がスライドベース
上の所定位置に配置されるようにしたことを特徴としている。
【発明の効果】
【００１６】
請求項１に記載の発明によれば、副軸押さえ部の延長板が該副軸押さえ部の弾性板から
離間する方向に延ばされているから、該延長板に貫設したビス挿通孔にビスを差し込む際
に、弾性板が従来のように障害になることがなく、そのビスのねじ込み作業を能率的に行
なうことができる。
【００１７】
請求項２に記載の発明によれば、延長板の端縁に形成した位置決め用切欠き部（位置決
め突起）と基板に形成した位置決め片の先端（位置決め溝）との間の間隔が大きいので、
位置決め用切欠き部と位置決め突起との間及び位置決め片の先端と位置決め溝との間に隙
間があっても、押さえ板のビス回りでの変位幅が小さく、従来のように変位した押さえ板
が近隣の電子部品やコードに接近したり接触したりせず、ショート事故や接触事故などを
防ぐことができる。
【図面の簡単な説明】
【００１８】
【図１】本発明の実施の一形態であるディスク装置の要部の斜視図である。
【図２】同要部の分解斜視図である。
【図３】同要部の平面図である。
【図４】同要部の一部切欠き側面図である。
【図５】従来のディスク装置を示す平面図である。
【図６】同要部の斜視図である。
【図７】同要部の平面図である。
【図８】同要部の一部切欠き側面図である。
【発明を実施するための形態】
【００１９】
図１〜図４は本発明の実施の一形態であるディスク装置（Ｂｌｕ−ｒａｙ  Ｄｉｓｃ式
のレコーダまたはプレーヤ）の要部を示すものであって、押さえ板２５の副軸押さえ部２
５Ｂが、中央連結部２５Ｃにつながる基板２５ａと、該基板２５ａの一端からＵ字状に折
り曲げられて副軸１０ｂに弾性的に押し付けられる弾性変位可能な弾性板２５ｂとに加え
て、基板２５ａの他端から直角に折り曲げられた中間板２５ｃと、該中間板２５ｃの端縁
から直角に折り曲げられて弾性板２５ｂから離間する方向に延びる延長板２５ｄとを有し
ている。
【００２０】
スライドベース９のトレイ対向面９ｃに、基板２５ａを載置するための基板載置台３２
と、延長板２５ｄを載置するための延長板載置台３３とが一体突設されている。
【００２１】
前記延長板２５ｄにビス挿通孔２６が貫設され、該ビス挿通孔２６に対向して延長板載
置台３３にねじ孔２８が形成されている。
【００２２】
前記延長板２５ｄの端縁に、図示するようなＵ字状凹部（または孔）からなる位置決め
用切欠き部３４が形成されると共に、該位置決め用切欠き部３４に対向して延長板載置台
３３に位置決め突起２９が一体突設され、前記基板２５ａにコ字状スリット３５を形成す
ることにより切り残した位置決め片３６の先端３６ａが外向きに折り曲げられ、該位置決
め片３６の先端３６ａに対向して基板載置台３２に位置決め溝３７が形成されている。
【００２３】
図１〜図３に示すように、基板押さえ部２５Ａのガイド枠対向端縁に一体突設した係合
片２５ｅをガイド枠９ｂの下端に凹設した凹溝３９に嵌入させることにより、その基板押
さえ部２５Ａが浮き上がらないようにしている。上記以外の構成は図５〜図８に示す構成
とほぼ同じであるから、同一部分に同一符号を付してその説明を省略する。
【００２４】
組立手順を説明すると、係合片２５ｅを凹溝３９に嵌入させ、位置決め用切欠き部３４
を位置決め突起２９に嵌合させると共に、位置決め片３６の先端３６ａを位置決め溝３７
内に嵌入させ、ビス３０をビス挿通孔２６からねじ孔２８にねじ込むことにより、延長板
２５ｄが延長板載置台３３に固定され、これによって、基板押さえ部２５Ａをフレキシブ
ルプリント基板ＦＰＣに押し付けて、そのフレキシブルプリント基板ＦＰＣが浮き上がっ
てトレイ１の下面に接触するのを防ぐと共に、副軸押さえ部２５Ｂの弾性板２５ｂを副軸
１０ｂに弾性的に押しつけて、スライドベース９が主軸１０ａ回りで動揺するのを防ぐ。
【００２５】
上記構成によれば、副軸押さえ部２５Ｂの延長板２５ｄが該副軸押さえ部２５Ｂの弾性
板２５ｂから離間する方向に延ばされているから、該延長板２５ｄに貫設したビス挿通孔
２６にビス３０を差し込む際に、弾性板２５ｂが従来のように障害になることがなく、そ
のビス３０のねじ込み作業を能率的に行なうことができる。
【００２６】
また、図３に示すように、延長板２５ｄの端縁に形成した位置決め用切欠き部３４（位
置決め突起２９）と基板２５ａに形成した位置決め片３６の先端３６ａ（位置決め溝３７
）との間の間隔ｈが大きいので、位置決め用切欠き部３４と位置決め突起２９との間及び
位置決め片３６の先端３６ａと位置決め溝３７との間に隙間αがあっても、押さえ板２５
のビス３０回りでの変位幅（矢印ｇ方向）が小さく、従来のように変位した押さえ板２５
が近隣の電子部品やコードに接近したり接触したりせず、ショート事故や接触事故などを
防ぐことができる。
【符号の説明】
【００２７】
２        ローダーシャーシ
３        トラバースシャーシ
６        ターンテーブル
８        光ピックアップ
９        スライドベース
９ａ      ガイド孔
９ｂ      ガイド枠
１０ａ    主軸
１０ｂ    副軸
１１      ガイド溝
１３      メイン基板
２５      押さえ板
２５Ａ    基板押さえ部
２５Ｂ    副軸押さえ部
２５Ｃ    中央連結部
２５ａ    基板
２５ｂ    弾性板
２５ｃ    中間板
２５ｄ    延長板
２６      ビス挿通孔
２８      ねじ孔
２９      位置決め突起
３０      ビス
３４      位置決め用切欠き部
３６      位置決め片
３６ａ    位置決め片の先端
３７      位置決め溝
【図１】
2012053931.tif 000003
【図２】
2012053931.tif 000004
【図３】
2012053931.tif 000005
【図４】
2012053931.tif 000006
【図５】
2012053931.tif 000007
【図６】
2012053931.tif 000008
【図７】
2012053931.tif 000009
【図８】
2012053931.tif 000010